【手続補正書】
【提出日】平成20年7月3日(2008.7.3)
【手続補正１】
【補正対象書類名】明細書
【補正対象項目名】特許請求の範囲
【補正方法】変更
【補正の内容】
【特許請求の範囲】
【請求項１】  支払人から被支払人への電子支払いをサードパーティで処理
する方法であって、
第一の接続を該支払人から該サードパーティで受け取るステップであって、該第一の接続が受け取られると、該支払人と該被支払人との間の第二の接続は終了される、ステップと、
該支払人のためのアカウントが該サードパーティに存在しない場合、電子支払いを容易にするために、該アカウントを該サードパーティに作成するステップと、
該支払人から該被支払人へ資金を電子的に転送するステップであって、該資金は該支払人のアカウントから、該被支払人が該サードパーティに有するアカウントまで転送される、ステップと
を包含する、方法。
【請求項２】  前記受け取るステップの前に前記第二の接続を前記第一の接続に置き換えるためのネットワークリンクの生成を容易にするステップをさらに包含する、請求項１に記載の方法。
【請求項３】  前記容易にするステップは、
接続を前記被支払人から前記サードパーティで受け取るステップと、
該被支払人と支払人との間で可能な電子商取引の一以上の詳細を受け取るステップと、
前記ネットワークリンクを生成するステップと
を包含する、請求項２に記載の方法。
【請求項４】  前記容易にするステップは、前記ネットワークリンクに関する必要なパラメータを前記被支払人に提供するステップであって、該ネットワークリンクは、前記第二の接続の間、被支払人コンピュータシステム上で使用するように構成される、ステップをさらに包含する、請求項２に記載の方法。
【請求項５】  前記支払人と前記被支払人との間の電子商取引の詳細を前記第一の接続で受け取るステップをさらに包含する、請求項１に記載の方法。
【請求項６】  前記詳細は、前記資金が電子的に転送された後に前記支払人へ送るためのネットワークアドレスを含む、請求項５に記載の方法。
【請求項７】  前記詳細は、前記支払人が資金の前記電子的な転送を中止する場合に該支払人へ送るためのネットワークアドレスを含む、請求項５に記載の方法。
【請求項８】  前記詳細は、前記サードパーティに被支払人のアカウントの識別子を含む、請求項５に記載の方法。
【請求項９】  前記支払人を、前記被支払人によって識別されたネットワークアドレスへと向け直すステップをさらに包含する、請求項１に記載の方法。
【請求項１０】  前記作成するステップは、
前記支払人の固有の識別子を受け取るステップと、
支払いメカニズムの情報を該支払人から受け取るステップと
を包含する、請求項１に記載の方法。
【請求項１１】  前記固有の識別子は、電子メールアドレスである、請求項１０に記載の方法。
【請求項１２】  前記固有の識別子は、電話番号である、請求項１０に記載の方法。
【請求項１３】  前記支払いメカニズムは、クレジットカードである、請求項１０に記載の方法。
【請求項１４】  前記支払いメカニズムは、デビットカードである、請求項１０に記載の方法。
【請求項１５】  前記支払いメカニズムは、銀行口座である、請求項１０に記載の方法。
【請求項１６】  ショッピングカートを前記支払人のために前記サードパーティで保持するステップをさらに包含する、請求項１に記載の方法。
【請求項１７】  前記ショッピングカートは、複数の被支払人との前記支払人の取引を追跡するように構成される、請求項１６に記載の方法。
【請求項１８】  前記アカウントは電子メールアドレスによって識別され、前記ネットワークリンクはユニフォームリソースロケータ（ＵＲＬ）リンクである、請求項１に記載の方法。
【請求項１９】  コンピュータによって実行されたとき、支払人から被支払人への電子支払いを処理する方法をサードパーティで該コンピュータに実行させる命令を格納するコンピュータ読み取り可能格納媒体であって、該方法は、
第一の接続を該支払人から該サードパーティで受け取るステップであって、該第一の接続が受け取られると、該支払人と該被支払人との間の第二の接続は終了される、ステップと、
該支払人のためのアカウントが該サードパーティに存在しない場合、電子支払いを容易にするために、該アカウントを該サードパーティに作成するステップと、
該支払人から該被支払人へ資金を電子的に転送するステップであって、該資金は該支払人のアカウントから、該被支払人が該サードパーティに有するアカウントまで転送される、ステップと
を包含する、コンピュータ読み取り可能格納媒体。
【請求項２０】  売り手に対する買い手からの支払い金をサードパーティ支
払いプロセッサで処理する、コンピュータがインプリメントする方法であって、
買い手からの接続を支払いプロセッサで受け取るステップであって、該接続は、該買い手および該売り手が電子商取引を取り決める間に、該買い手と該売り手との間の以前の接続を置き換える、ステップと、
該買い手によって払われるべき第一の値を含む該電子商取引の一以上の基準を受け取るステップと、
該買い手によって該第一の値のソースを確認するステップと、
該買い手からの該第一の値の受領を始めるステップと、
該売り手へ第二の値の支払いを始めるステップであって、該第一の値の受領は該支払いプロセッサに有する該買い手のアカウントからのものであり、該第二の値の該支払いは該支払いプロセッサに有する該売り手のアカウントに対するものである、ステップと、
該一以上の基準が再接続の宛先を含む場合、該買い手を該売り手へと再接続するステップと
を包含する、コンピュータがインプリメントする方法。
【請求項２１】  前記接続を受け取るステップの前に、前記買い手と前記売
り手との間の該接続の前記置き換えを可能にするリンクを生成するステップをさらに包含し、該リンクは、該売り手と該買い手との間の該接続の間に、買い手のコンピュータシステム上で使用するために構成されている、請求項２０に記載の方法。
【請求項２２】  値を電子的に転送するための前記買い手のアカウントが存在しない場合、該アカウントを確立するステップをさらに包含する、請求項２０に記載の方法。
【請求項２３】  前記アカウントは、前記買い手の電子メールアドレスによって識別される、請求項２２に記載の方法。
【請求項２４】  前記第一の値の前記ソースは、前記アカウントである、請求項２２に記載の方法。
【請求項２５】  前記第一の値の前記ソースは、前記買い手のクレジットカードである、請求項２２に記載の方法。
【請求項２６】  前記第一の値の前記ソースは、前記買い手の銀行口座である、請求項２２に記載の方法。
【請求項２７】  受領を前記買い手へ伝送するステップをさらに包含する、請求項２０に記載の方法。
【請求項２８】  コンピュータによって実行されたとき、サードパーティ支払いプロセッサで売り手のために買い手からの支払いを処理するコンピュータがインプリメントする方法を該コンピュータに実行させる命令を格納するコンピュータ読み取り可能格納媒体であって、該方法は、
買い手からの接続を支払いプロセッサで受け取るステップであって、該接続は、該買い手および該売り手が電子商取引を取り決める間に、該買い手と該売り手との間の以前の接続を置き換える、ステップと、
該買い手によって払われるべき第一の値を含む該電子商取引の一以上の基準を受け取るステップと、
該買い手によって該第一の値のソースを確認するステップと、
該買い手からの該第一の値の受領を始めるステップと、
該売り手へ第二の値の支払いを始めるステップであって、該第一の値の受領は、該支払いプロセッサの該買い手のアカウントからのものであり、該第二の値の支払いは該支払いプロセッサの該売り手のアカウントに対するものである、ステップと、
該一以上の基準が再接続の宛先を含む場合、該買い手を該売り手へと再接続するステップと
を包含する、コンピュータ読み取り可能格納媒体。
【請求項２９】  支払人から被支払人への支払いを処理する支払いプロセッサであって、
支払人からの接続、および、該支払人と被支払人との間の電子商取引の詳細を受け取るように構成された通信インタフェースと、
該支払人によって該詳細のうち一以上を確認するように構成された支払人のインタフェースと、
値を電子的に転送するための該支払人のためのアカウントを作成し、かつ該値を電子的に受け取るための該被支払人のためのアカウントを作成するように構成された登録モジュールと、
該支払人からの第一の支払い、および、該被支払人への第二の支払いを始めるように構成された支払人のモジュールと
を含み、該通信インターフェースは、該支払人を該被支払人へ接続するようにさらに構成される、支払いプロセッサ。
【請求項３０】  前記支払人を前記被支払人から前記支払いプロセッサへと向け直すためのユニフォームリソースロケータ（ＵＲＬ）リンクの生成を容易にするように構成された被支払人インタフェースをさらに含む、請求項２９に記載の支払いプロセッサ。
【請求項３１】  前記支払人のためのショッピングカートを格納するように構成されたデータベースをさらに含む、請求項２９に記載の支払いプロセッサ。